(57)【要約】【課題】操作手段のバリエーションを多様化することができる建具および建具の製造方法を提供を提供すること。【解決手段】手動操作ユニット２０または電動操作ユニットの主動スプロケットと、巻取りドラム１２の従動スプロケット１５とがチェーン１６を介して連動可能に接続されることで、巻取りドラム１２の仕様を変更しなくても手動または電動の駆動機構を容易に変更することができる。【選択図】図１
2008214933.tif 000002
【特許請求の範囲】
【請求項１】
建物開口部に固定されて少なくとも上枠を有した枠体と、この枠体に支持された少なくとも１枚の面材と、この面材の室外側を覆う閉鎖位置と上方に収容される開放位置との間を移動可能に設けられた遮蔽体とを備え、
前記遮蔽体を巻き取る巻取り軸と、この巻取り軸に固定された従動伝達部材とを有した遮蔽体支持部で前記遮蔽体が支持されており、
前記遮蔽体の開閉を手動操作するための手動操作部材と、この手動操作部材の操作によって回動される回動軸と、この回動軸に固定されかつ前記従動伝達部材と連動可能に接続される主動伝達部材とを有した手動開閉操作手段、
または
前記遮蔽体の開閉を電動操作するための電動操作部と、この電動操作部からの指令により作動可能な電動駆動源と、この電動駆動源に連結されかつ前記従動伝達部材と連動可能に接続される主動伝達部材とを有した電動開閉操作手段
のいずれか一方の開閉操作手段を備えて構成されている建具。
【請求項２】
前記枠体の上枠には、前記面材を支持する面材支持部と、この面材支持部よりも上方に位置する室内側見付け面と、この室内側見付け面に形成された開口部とが設けられ、
前記手動開閉操作手段における前記手動操作部材が前記開口部に挿通されて前記回動軸に接続されて前記面材よりも室内側から手動操作可能に構成されるか、または前記電動開閉操作手段における前記電動操作部が前記開口部に挿通される接続コードで前記電動駆動源に接続されて前記面材よりも室内側から電動操作可能に構成される請求項１に記載の建具。
【請求項３】
前記手動開閉操作手段は、前記手動操作部材と回動軸との連結部を収納するケース体を有して構成され、前記電動開閉操作手段は、前記電動駆動源と前記主動伝達部材との接続部を収納するケース体を有して構成され、
前記手動開閉操作手段または電動開閉操作手段のケース体が、前記開口部周縁との間に気密材を介して前記室内側見付け面の室外側に設置されている請求項２に記載の建具。
【請求項４】
建物開口部に固定されて少なくとも上枠を有した枠体と、この枠体に支持される少なくとも１枚の面材と、この面材の室外側を覆う閉鎖位置と上方に収容される開放位置との間を移動可能に設けられる遮蔽体とを備える建具の製造方法であって、
前記遮蔽体を巻き取る巻取り軸と、この巻取り軸に固定された従動伝達部材とを有した遮蔽体支持部を介して前記枠体に前記遮蔽体を取り付け、
前記遮蔽体の開閉を手動操作するための手動操作部材と、この手動操作部材の操作によって回動される回動軸と、この回動軸に固定される主動伝達部材とを有した手動開閉操作手段、
および
前記遮蔽体の開閉を電動操作するための電動操作部と、この電動操作部からの指令により作動可能な電動駆動源と、この電動駆動源に連結される主動伝達部材とを有した電動開閉操作手段
を準備しておき、
前記手動開閉操作手段または電動開閉操作手段を選択するとともに、選択した開閉操作手段の主動伝達部材を前記従動伝達部材に連動可能に接続しつつ当該選択した開閉操作手段を前記枠体に固定する建具の製造方法。
【請求項５】
前記枠体の上枠には、前記面材を支持する面材支持部と、この面材支持部よりも上方に位置する室内側見付け面と、この室内側見付け面に形成された開口部とが設けられ、
前記手動開閉操作手段における前記手動操作部材が前記開口部に挿通されて前記回動軸に接続されて前記面材よりも室内側から手動操作可能に構成するか、または前記電動開閉操作手段における前記電動操作部が前記開口部に挿通される接続コードで前記電動駆動源に接続されて前記面材よりも室内側から電動操作可能に構成する請求項４に記載の建具の製造方法。
【発明の詳細な説明】
【技術分野】
【０００１】
本発明は、建具および建具の製造方法に関し、詳しくは、枠体および面材と、面材の室外側を覆って上下開閉可能な遮蔽体とを備えた建具および建具の製造方法に関する。
【背景技術】
【０００２】
従来、窓枠（枠体）および障子（面材）の室外側にシャッター（ロールシャッター）や外部ブラインド、巻き取り式網戸等の遮蔽体を取り付け、これらのシャッター等を閉じることで窓開口部を遮蔽可能な窓が広く利用されている（例えば、特許文献１参照）。
特許文献１に記載されたシャッターでは、シャッターの巻き取りドラムに連結した操作紐を、窓の上枠に設けた孔から室内側下方に垂らしておき、この操作紐を引くことで巻き取りドラムを回転させてシャッターを開放することができるように構成されている。
【０００３】
【特許文献１】実用新案登録第２５２９４５９号公報
【発明の開示】
【発明が解決しようとする課題】
【０００４】
しかしながら、前記特許文献１に記載された従来のシャッターでは、操作紐が巻き取りドラムに直接連結された手動開放の機構であるため、電動開閉の機構に交換する場合には、巻き取りドラムごと交換する必要があるため、部品の無駄が多くなってしまうという問題がある。
【０００５】
本発明の目的は、操作手段のバリエーションを多様化することができる建具および建具の製造方法を提供することにある。
【課題を解決するための手段】
【０００６】
本発明の建具は、建物開口部に固定されて少なくとも上枠を有した枠体と、この枠体に支持された少なくとも１枚の面材と、この面材の室外側を覆う閉鎖位置と上方に収容される開放位置との間を移動可能に設けられた遮蔽体とを備え、前記遮蔽体を巻き取る巻取り軸と、この巻取り軸に固定された従動伝達部材とを有した遮蔽体支持部で前記遮蔽体が支持されており、前記遮蔽体の開閉を手動操作するための手動操作部材と、この手動操作部材の操作によって回動される回動軸と、この回動軸に固定されかつ前記従動伝達部材と連動可能に接続される主動伝達部材とを有した手動開閉操作手段、または前記遮蔽体の開閉を電動操作するための電動操作部と、この電動操作部からの指令により作動可能な電動駆動源と、この電動駆動源に連結されかつ前記従動伝達部材と連動可能に接続される主動伝達部材とを有した電動開閉操作手段のいずれか一方の開閉操作手段を備えて構成されていることを特徴とする。
【０００７】
ここで、遮蔽体としては、複数のスラットが上下に連結されて上方に巻取り収容可能に構成されたものや、複数のスラットがリンクを介して上下に連結されて上方に巻取り収容可能に構成されたもの等であればよく、このような遮蔽体の用途としては、外部シャッターや外部ブラインド等が例示できる。また、遮蔽体としては、上方に巻取り収容可能なネットを備えて構成されたものでもよく、この遮蔽体を用いれば、網戸（ロール網戸）が構成できる。
また、手動開閉操作手段における手動操作部材としては、適宜なロープやワイヤー、チェーン、ボールチェーンなどを無端の輪で形成して回動軸に巻回したものや、回動軸に適宜なギア等を介して接続されて回転操作可能に構成された回動ロッドなどが利用可能である。一方、電動開閉操作手段における電動操作部としては、各種のスイッチやコントローラ等が利用可能であり、電動駆動源としては、各種電動モータや電動アクチュエータ等が利用可能である。そして、手動開閉操作手段または電動開閉操作手段の主動伝達部材と、巻取り軸側の従動伝達部材とを連動可能に接続する構成としては、主動伝達部材および従動伝達部材をスプロケット状に形成してチェーン等で連結した構成や、主動伝達部材および従動伝達部材をプーリ状（歯付きプーリ）に形成して無端ベルト（歯付きベルト）で連結した構成、さらには、主動伝達部材および従動伝達部材を歯車状に形成して直接または適宜なギアを介して連結した構成など、任意のものが採用可能である。
【０００８】
以上の本発明によれば、遮蔽体支持部に従動伝達部材を設け、この従動伝達部材と連動可能な主動伝達部材を手動開閉操作手段および電動開閉操作手段に設けたので、手動開閉操作手段または電動開閉操作手段を選択して枠体に取り付けるだけで、遮蔽体支持部側の構成を変更することなく、つまり共通の遮蔽体支持部を用いて手動開閉形式と電動開閉形式とが変更でき、操作手段のバリエーションを多様化することができる。さらに、手動開閉形式または電動開閉形式で製造された建具であっても、手動開閉操作手段および電動開閉操作手段の一方から他方に交換するだけで、遮蔽体支持部および遮蔽体を交換しなくても、開閉形式を手動から電動へまたは電動から手動へ変更することができる。
【０００９】
この際、本発明の建具では、前記枠体の上枠には、前記面材を支持する面材支持部と、この面材支持部よりも上方に位置する室内側見付け面と、この室内側見付け面に形成された開口部とが設けられ、前記手動開閉操作手段における前記手動操作部材が前記開口部に挿通されて前記回動軸に接続されて前記面材よりも室内側から手動操作可能に構成されるか、または前記電動開閉操作手段における前記電動操作部が前記開口部に挿通される接続コードで前記電動駆動源に接続されて前記面材よりも室内側から電動操作可能に構成されることが好ましい。
【００１０】
ここで、面材支持部としては、面材を開閉自在に支持するガイド機能を有するものでもよく、面材を開閉不能に支持する固定機能を有するものでもよい。
このような構成によれば、室内側から操作可能な手動開閉操作部材または電動操作部を設けたので、枠体に支持された面材を開かなくても遮蔽体を開閉操作することができる。従って、面材の開閉形式に関わらず、あるいは面材が枠体に対して開閉不能に固定されていたとしても、室内側から遮蔽体を開閉操作することができ、利便性を高めることができる。
また、手動開閉操作手段の手動操作部材または電動開閉操作手段の接続コードが室内側見付け面に形成された開口部に挿通されることで、この開口部を介して手動開閉操作手段および電動開閉操作手段を室内外に渡って、室内側から操作可能に設けることができる。
また、上枠における面材支持部よりも上方に位置する室内側見付け面に開口部を形成したことで、手動操作部材や電動操作部が障子の開閉に干渉することが防止できる。さらに、室内側見付け面を上下方向ではなく見込み方向に貫通して開口部が形成されることで、この開口部を介して室内側への雨水等の浸入が防止しやすくなり、止水性を確保することができる。
【００１１】
さらに、本発明の建具では、前記手動開閉操作手段は、前記手動操作部材と回動軸との連結部を収納するケース体を有して構成され、前記電動開閉操作手段は、前記電動駆動源と前記主動伝達部材との接続部を収納するケース体を有して構成され、前記手動開閉操作手段または電動開閉操作手段のケース体が、前記開口部周縁との間に気密材を介して前記室内側見付け面の室外側に設置されていることが好ましい。
このような構成によれば、手動開閉操作手段または電動開閉操作手段のケース体によって開口部の室外側が塞がれることで、雨水等が開口部を介して室内側に浸入しにくくすることができる。さらに、開口部周縁との間に気密材を介してケース体を室内側見付け面の室外側に設置したことで、開口部からの雨水等の室内側への浸入をより一層防ぐことができ、止水性を向上させることができる。
【００１２】
一方、本発明の建具の製造方法は、建物開口部に固定されて少なくとも上枠を有した枠体と、この枠体に支持される少なくとも１枚の面材と、この面材の室外側を覆う閉鎖位置と上方に収容される開放位置との間を移動可能に設けられる遮蔽体とを備える建具の製造方法であって、前記遮蔽体を巻き取る巻取り軸と、この巻取り軸に固定された従動伝達部材とを有した遮蔽体支持部を介して前記枠体に前記遮蔽体を取り付け、前記遮蔽体の開閉を手動操作するための手動操作部材と、この手動操作部材の操作によって回動される回動軸と、この回動軸に固定される主動伝達部材とを有した手動開閉操作手段、および前記遮蔽体の開閉を電動操作するための電動操作部と、この電動操作部からの指令により作動可能な電動駆動源と、この電動駆動源に連結される主動伝達部材とを有した電動開閉操作手段を準備しておき、前記手動開閉操作手段または電動開閉操作手段を選択するとともに、選択した開閉操作手段の主動伝達部材を前記従動伝達部材に連動可能に接続しつつ当該選択した開閉操作手段を前記枠体に固定する。
【００１３】
このような本発明によれば、前述と同様に、予め準備しておいた手動開閉操作手段または電動開閉操作手段を選択して枠体に取り付けるだけで、遮蔽体支持部側の構成を変更することなく手動開閉形式と電動開閉形式とが任意に構成でき、操作手段のバリエーションを多様化することができる。
【００１４】
この際、本発明の建具の製造方法では、前記枠体の上枠には、前記面材を支持する面材支持部と、この面材支持部よりも上方に位置する室内側見付け面と、この室内側見付け面に形成された開口部とが設けられ、前記手動開閉操作手段における前記手動操作部材が前記開口部に挿通されて前記回動軸に接続されて前記面材よりも室内側から手動操作可能に構成するか、または前記電動開閉操作手段における前記電動操作部が前記開口部に挿通される接続コードで前記電動駆動源に接続されて前記面材よりも室内側から電動操作可能に構成することが好ましい。
このような構成によれば、前述と同様に、手動開閉操作手段の手動操作部材または電動開閉操作手段の接続コードが室内側見付け面に形成された開口部に挿通されることで、この開口部を介して手動開閉操作手段および電動開閉操作手段を室内外に渡って、室内側から操作可能に設けることができる。
また、上枠における面材支持部よりも上方に位置する室内側見付け面に開口部を形成したことで、手動操作部材や電動操作部が障子の開閉に干渉することが防止できる。さらに、室内側見付け面を上下方向ではなく見込み方向に貫通して開口部が形成されることで、この開口部を介して室内側への雨水等の浸入が防止しやすくなり、止水性を確保することができる。
【発明を実施するための最良の形態】
【００１５】
以下、本発明の実施形態を図面に基づいて説明する。
図１は、本発明の実施形態に係る建具である上げ下げ窓１を示す縦断面図である。図２は、上げ下げ窓１を示す横断面図である。図３(Ａ)，(Ｂ)は、上げ下げ窓１に設けられるシャッター１０を示す縦断面図である。
図１、図２において、上げ下げ窓１は、戸建て住宅等の建物の外壁開口部に設けられるものであって、外壁開口部に固定される枠体としての窓枠２と、この窓枠２の内側に移動不能に固定された面材としての上部障子３（室外障子）と、窓枠２の内側に上下スライド開閉自在に支持された面材としての下部障子４（室内障子）とを備えて構成された、いわゆるシングルハングの上げ下げ窓である。窓枠２は、上枠５、下枠６、および左右の縦枠７を四周枠組みして形成され、窓枠２には、上部障子３の室外側に網戸８が支持されるとともに、この網戸８よりも室外側にシャッター１０が上下開閉自在かつ上方に巻き上げ収容可能に支持されている。
【００１６】
シャッター１０は、複数のスラット１１Ａおよびその下端部に連結された下端スラット１１Ｂから構成された遮蔽体としてのシャッター面材１１と、このシャッター面材１１を巻き取る支持部としての巻取りドラム１２とを備えて構成されている。この巻取りドラム１２は、上枠３の上方室外側に固定された収容部であるシャッターボックス１３の内部（収容空間１３Ａ）に設けられ、縦枠７に軸支される巻取り軸１４によって回動自在に支持されている。シャッター面材１１は、巻取りドラム１２に巻き取られて収容空間１３Ａに収容された開放位置と、上部障子３、下部障子４および網戸８の室外側を覆う閉鎖位置との間を上下開閉移動自在に、縦枠７のシャッターレール７Ａに支持されている。そして、閉鎖位置において、シャッター面材１１の下端スラット１１Ｂが下枠６に当接することで、上げ下げ窓１の開口全面を覆い、上げ下げ窓１の防犯性が確保できるようになっている。
【００１７】
シャッターボックス１３は、図３にも示すように、上枠５の上側でかつ左右の縦枠７に渡って固定されるルーフ板１３Ｂと、このルーフ板１３Ｂの室外側前面を覆う点検板１３Ｃと、縦枠７に固定されるケーシング１３Ｄと、このケーシング１３Ｄに固定されて巻取りドラム１２の巻取り軸１４を軸支する軸受け部１３Ｅとを有して構成されている。このシャッターボックス１３では、ルーフ板１３Ｂを上枠５および縦枠７に固定し、ケーシング１３Ｄを縦枠７に直接ビス止め固定し、このようにケーシング１３Ｄが窓枠２に固定された状態において、巻取りドラム１２を軸受け部１３Ｅに設置するように構成されている。従って、シャッターボックスを組み立ててから、このシャッターボックスを窓枠２の上部室外側にブラケットを介して取り付ける場合と比較して、ブラケットが不要になる分だけシャッターボックス１３の幅寸法や見込み（奥行き）寸法、高さ寸法等が小さく形成できるようになっている。なお、ここでは、縦枠７にケーシング１３Ｄを直に固定したが、縦枠７にブラケットを介してケーシング１３Ｄを固定してもよいし、前述したようにシャッターボックスを窓枠２の上部室外側にブラケットを介して取り付けてもよい。
【００１８】
次に、以上のようなシャッター１０の駆動機構について、図４〜図７および図８、図９も参照して詳しく説明する。なお、図４〜図７に示す駆動機構は、手動開閉操作手段としての手動操作ユニット２０を用いたものであり、図８、図９に示す駆動機構は、電動開閉操作手段としての電動操作ユニット３０を用いたものである。そして、手動操作ユニット２０と電動操作ユニット３０とは、互いに交換可能、つまり共通のシャッター１０に対して互換性を有して選択して取り付け可能に構成されている。
図４は、手動操作ユニット２０を用いた上げ下げ窓１の一部を室内側から見た正面図である。図５は、手動操作ユニット２０を用いたシャッター１０の駆動機構を示す横断面図である。図６は、上枠５およびシャッター１０の開閉操作手段を示す縦断面図である。図７は、開閉操作手段を示す側面図である。一方、図８(Ａ)，(Ｂ)は、電動操作ユニット３０を用いたシャッター１０を示す縦断面図および正面図である。図９は、電動操作ユニット３０を用いたシャッター１０の駆動機構を示す横断面図である。
【００１９】
手動操作ユニット２０を用いたシャッター１０の駆動機構のうち、シャッター１０側の機構（遮蔽体支持部）は、図５に示すように、巻取りドラム１２の巻取り軸１４に固定された従動伝達部材としての従動スプロケット１５と、手動開閉操作手段である手動操作ユニット２０と、手動操作ユニット２０に設けられた主動スプロケット２５と従動スプロケット１５とに巻回されたチェーン１６とを有して構成されている。ここで、従動スプロケット１５は、主動伝達部材としての主動スプロケット２５よりも大きな径で形成されており、主動スプロケット２５の回転を減速した回転数で従動スプロケット１５が駆動されることで、チェーン１６を介して手動操作ユニット２０からの開閉駆動力が巻取りドラム１２に伝達されるようになっている。
【００２０】
次に、図６、図７にも示すように、手動操作ユニット２０は、縦枠７の内側面に固定される固定面部２１と、この固定面部２１から見付け方向側方に延びる４本の連結ロッド２２と、これらの連結ロッド２２に固定されたケース体２３とを有している。そして、手動操作ユニット２０は、ケース体２３に軸支されて縦枠７側に延出する回動軸２４と、この回動軸２４の先端側に固定された主動スプロケット２５と、ケース体２３内において回動軸２４に固定された連結部としてのギア２６と、このギア２６に巻回されるとともにケース体２３から室内側に延びる手動操作部材としてのボールチェーン２７とを有して構成されている。ボールチェーン２７は、無端の輪状に形成され、ケース体２３の内面によってギア２６に噛み合うように位置規制されており、このボールチェーン２７を回転操作することで、ギア２６および回動軸２４を介して主動スプロケット２５が回転駆動されるようになっている。
【００２１】
また、手動操作ユニット２０は、図２、図４に示すように、縦枠７における室内側に形成された縦枠アングル部７Ｂに固定された係止部材２８を有しており、ボールチェーン２７は、係止部材２８に係止できるようになっている。そして、この係止部材２８にボールチェーン２７を係止させることで、ギア２６、回動軸２４および主動スプロケット２５の回転が規制され、つまりシャッター１０の開閉移動が規制できるように構成されている。すなわち、互いに係止される係止部材２８とボールチェーン２７とによって、シャッター１０の施錠機構が構成されている。
【００２２】
以上のような手動操作ユニット２０において、ケース体２３や回動軸２４、主動スプロケット２５は、上枠５の上側つまりシャッター１０の収容空間１３Ａ側に設置されている。ここで、上枠５は、図６に示すように、アルミ製の上枠本体５Ａと、この上枠本体５Ａの室内側に取り付けられた樹脂製の上枠室内部材５Ｂとを有して構成されている。なお、上枠本体５Ａと上枠室内部材５Ｂの材質は、前述のものに限定されず、適宜な材質から選択されればよい。
上枠本体５Ａには、下向きに開口して前記上部障子３の上端部（上框）を支持する面材支持部としての凹部５Ｃが形成され、上枠室内部材５Ｂには、凹部５Ｃよりも室内側にて上方に延びた室内側見付け面５Ｄが形成されている。この室内側見付け面５Ｄは、収容空間１３Ａの底面を構成する上枠上面部５Ｅよりも上方に延びて形成され、この室内側見付け面５Ｄの上端には、室内側に延びて建物躯体等に固定される上枠アングル部５Ｆが形成されている。そして、室内側見付け面５Ｄにおける上枠上面部５Ｅよりも上方位置でかつ上枠アングル部５Ｆよりも下側位置には、開口部５Ｇが形成されている。この開口部５Ｇは、室内側見付け面５Ｄを貫通して形成され、手動操作ユニット２０のボールチェーン２７を挿通させるものである。
【００２３】
ケース体２３は、ボールチェーン２７が挿通する開口を室内側側面に有し、主動スプロケット２５側の面に回動軸２４が挿通する挿通孔が形成されており、それらの開口および挿通孔以外がほぼ閉塞された壁面で囲まれた略箱型状に形成されている。また、手動操作ユニット２０におけるケース体２３の室内側側面には、開口部５Ｇに対応した寸法の突起部２３Ａが形成されており、この突起部２３Ａが開口部５Ｇに嵌った状態で、ケース体２３が室内側見付け面５Ｄの室外側に設置されるようになっている。そして、ケース体２３の設置位置における上枠本体５Ａや上枠室内部材５Ｂには、適宜な切り欠きが設けられている。また、ケース体２３と開口部５Ｇ周縁の室内側見付け面５Ｄとの間には、図示しない気密材（シール材）が介挿されており、室内空間と室外空間である収容空間１３Ａとが仕切られるようになっている。さらに、ケース体２３において回動軸２４を挿通させる挿通孔位置にも、回動軸２４回りに適宜な気密材（ガスケットやモヘヤ等）が設けられている。以上のように、ケース体２３と室内側見付け面５Ｄとの間、およびケース体２３の挿通孔部分を介して、収容空間１３Ａから室内側への雨水等の浸入を防止する止水構造が構成されている。
【００２４】
以上のようなシャッター１０は、以下の手順で窓枠２に取り付けられる。
先ず、窓枠２の上枠５および縦枠７の上側にルーフ板１３Ｂを固定し、縦枠７の内面にケーシング１３Ｄおよび軸受け部１３Ｅを固定するとともに、予め組み立ててユニット化した手動操作ユニット２０を縦枠７の内面に固定する。この手動操作ユニット２０の固定に際しては、室内側見付け面５Ｄの室外側からボールチェーン２７を開口部５Ｇに挿通して室内側に垂下させ、室内側見付け面５Ｄの室外側側面に気密材を介してケース体２３の突起部２３Ａ周辺を当接させて突起部２３Ａを開口部５Ｇに嵌合させる。これに続いて、主動スプロケット２５にチェーン１６を巻回してから、固定面部２１を縦枠７に固定して手動操作ユニット２０の固定が完了する。
次に、巻取りドラム１２の従動スプロケット１５にチェーン１６を巻回してから、巻取り軸１４をケーシング１３Ｄの軸受け部１３Ｅにセットするとともに、巻取りドラム１２にシャッター面材１１を取り付け、シャッターレール７Ａにスラット１１Ａおよび下端スラット１１Ｂを挿通して支持させる。この後、シャッターボックス１３の点検板１３Ｃをルーフ板１３Ｂに固定してシャッター１０の取り付けが完了する。
【００２５】
一方、図８、図９に示すように、電動操作ユニット３０は、縦枠７の内側面に固定される固定面部３１と、この固定面部３１から見付け方向側方に延びる４本の連結ロッド３２と、これらの連結ロッド３２に固定されたケース体３３とを有している。そして、電動操作ユニット３０は、ケース体３３に軸支されて縦枠７側に延出する回動軸３４と、この回動軸３４の先端側に固定された主動スプロケット３５と、ケース体３３内において回動軸３４に連結されて当該回動軸３４を回転駆動する電動駆動源としての電動モータ３６と、この電動モータ３６に接続されてケース体３３から室内側に延びる接続コード３７と、接続コード３７の先端に接続されて縦枠７の室内側面に固定された電動操作部としてのコントローラ３８とを有して構成されている。また、電動モータ３６には、電力を供給する電源ケーブル３９が接続されており、この電源ケーブル３９は、ケーシング１３Ｄに形成されたケーブル案内部１３Ｆに沿って、従動スプロケット１５よりも外周側を迂回してシャッターボックス１３の上部から建物内部に配線されるようになっている。そして、コントローラ３８には、開ボタン、停止ボタンおよび閉ボタンが設けられ、開ボタンや閉ボタンの押下げ操作により電動モータ３６が回転作動し、回動軸３４を介して主動スプロケット３５が回転駆動され、停止ボタンの押下げ操作により電動モータ３６が回転停止するようになっている。
【００２６】
以上のような電動操作ユニット３０において、ケース体３３や回動軸３４、主動スプロケット３５、電動モータ３６は、上枠５の上側に位置するシャッター１０の収容空間１３Ａ側に設置されている。そして、接続コード３７は、上枠５における室内側見付け面５Ｄに形成した前記開口部５Ｇを介してケース体３３から室内側に延びて設置されている。また、ケース体３３は、電動モータ３６と回動軸３４との連結部分を覆ってほぼ閉塞された壁面で囲まれた略箱型状に形成され、ケース体３３が室内側見付け面５Ｄの室外側に設置されるようになっている。そして、ケース体３３と開口部５Ｇ周縁の室内側見付け面５Ｄの室外側との間には、図示しない気密材（シール材）が介挿されており、室内空間と室外空間である収容空間１３Ａとが仕切られるようになっている。さらに、ケース体３３において回動軸３４を挿通させる孔位置にも、回動軸３４回りに適宜な気密材（ガスケットやモヘヤ等）が設けられている。以上のように、ケース体３３と室内側見付け面５Ｄの室外側との間、およびケース体３３の孔部分を介して、収容空間１３Ａから室内側への雨水等の浸入を防止する止水構造が構成されている。
【００２７】
以上の電動操作ユニット３０は、前述の手動操作ユニット２０と略同様の手順で窓枠２に取り付けられる。すなわち、コントローラ３８を除く電動操作ユニット３０を予め組み立ててユニット化しておき、接続コード３７を室内側見付け面５Ｄの室外側から開口部５Ｇに挿通して室内側に垂下させ、室内側見付け面５Ｄの室外側側面に気密材を介してケース体３３を当接させる。これに続いて、主動スプロケット３５にチェーン１６を巻回してから、固定面部３１を縦枠７の内面に固定し、接続コード３７の先端にコントローラ３８を取り付け、コントローラ３８を縦枠７の縦枠アングル部７Ｂに固定する。
また、手動操作ユニット２０と電動操作ユニット３０とを交換する場合には、遮蔽体支持部側の従動スプロケット１５およびチェーン１６が共通で利用可能になっており、手動操作ユニット２０および電動操作ユニット３０のいずれかの主動スプロケット２５，３５にチェーン１６を巻回することで、従動スプロケット１５およびチェーン１６が転用できるようになっている。
【００２８】
このような本実施形態によれば、以下のような効果がある。
（１）すなわち、手動操作ユニット２０のボールチェーン２７または電動操作ユニット３０のコントローラ３８が室内側に位置して設けられ、これらのボールチェーン２７またはコントローラ３８の操作によってシャッター１０が開閉されるので、下部障子４を開かなくてもシャッター１０を開閉操作することができ、利便性を高めることができる。
【００２９】
（２）また、手動操作ユニット２０または電動操作ユニット３０の主動スプロケット２５，３５と、巻取りドラム１２の従動スプロケット１５とがチェーン１６を介して連動可能に接続されることで、巻取りドラム１２の仕様を変更しなくても手動または電動の駆動機構を容易に変更することができる。そして、巻取りドラム１２の従動スプロケット１５およびチェーン１６が転用可能なので、部品の無駄が防止できる。
【００３０】
（３）また、上枠５の室内側見付け面５Ｄに形成された開口部５Ｇを介してボールチェーン２７または接続コード３７が室内側に位置して設けられるので、ボールチェーン２７や接続コード３７が下部障子４の開閉に干渉せず、利便性をさらに向上させることができる。さらに、室内側見付け面５Ｄを貫通して上枠上面部５Ｅよりも上方に開口部５Ｇが形成されることで、この開口部５Ｇを介して室内側への雨水等の浸入が防止でき、止水性を確保することができる。
【００３１】
（４）さらに、手動操作ユニット２０または電動操作ユニット３０のケース体２３，３３が気密材を介して室内側見付け面５Ｄの開口部５Ｇ周縁に当接されるので、開口部５Ｇからの雨水等の室内側への浸入を確実に防止でき、止水性を向上させることができる。さらに、略箱型状のケース体２３，３３によって開口部５Ｇの室外側が塞がれることで、雨水等が開口部５Ｇを介して室内側に浸入しにくくすることができる。
【００３２】
（５）また、使用者の希望によって手動操作ユニット２０から電動操作ユニット３０への交換や、電動操作ユニット３０から手動操作ユニット２０への交換を行う時、または手動操作ユニット２０や電動操作ユニット３０の各部が損傷した場合に部品の交換を行う時でも、巻取りドラム１２や従動スプロケット１５を取り外したり交換したりせずに、手動操作ユニット２０や電動操作ユニット３０を取り外して修理、交換することができる。従って、修理や交換に要する作業手間を軽減してメンテナンス性を向上させることができる。
【００３３】
（６）また、手動操作ユニット２０や電動操作ユニット３０が予め組み立てられ、ユニット化された状態で窓枠２に取り付けられるので、取り付け作業の作業性を向上することができる。従って、工場等で建具全体を組み立てる場合に限らず建設現場等で組み立てる場合であっても、作業性が良好になって組立手間や時間を削減することができる。
【００３４】
なお、本発明は、前記実施形態に限定されるものではなく、本発明の目的を達成できる他の構成等を含み、以下に示すような変形等も本発明に含まれる。
例えば、前記実施形態において、建具の一例としての上げ下げ窓１について説明したが、本発明の建具は、上げ下げ窓１に限らず、引違い窓や片引き窓などの障子（面材）が左右スライド開閉自在に支持された窓であってもよく、また嵌め殺し窓のように面材が窓枠（枠体）内部に固定された窓であってもよい。また、上げ下げ窓であっても、前記実施形態のようなシングルハングの上げ下げ窓に限らず、上下の障子がそれぞれ開閉自在に支持されたダブルハングの上げ下げ窓であってもよく、さらには３枚以上の面材を有したものであってもよい。
【００３５】
また、前記実施形態において、遮蔽体としてのシャッター面材１１を有したシャッター１０（ロールシャッター）が設けられた建具について説明したが、遮蔽体としては、互いに連結された複数のスラットが上方に巻取り収容可能に構成されたものに限らず、スラットがリンクを介して連結されたもの（ブラインド）であってもよく、また上方に巻取り収容可能なネットを備えて構成されたもの（ロール網戸）であってもよい。
また、前記実施形態において、室内側見付け面５Ｄを垂直方向に延びる面としたが、これに限らず、室内側見付け面としては、室内側に面した斜面（例えば、図１の右斜め下方向に面した斜面）であってもよく、障子（面材）と対向していない面であればよい。つまり、室内側見付け面５Ｄが障子と対向した面の場合は、操作部材（ボールチェーン２７やコントローラ３８の接続コード３７）が障子と干渉しやすくなるため、その干渉が回避できる面であればよい。
また、前記実施形態において、手動操作ユニット２０の手動操作部材としてボールチェーン２７を採用したが、手動操作部材は、ボールチェーン２７に限らず、ロープやワイヤー、チェーンなどであってもよく、また回動軸２４に適宜なギア等を介して接続されて回転操作可能に構成された回動ロッドなどであってもよい。
【００３６】
また、前記第実施形態では、手動操作ユニット２０または電動操作ユニット３０を上枠５における長手方向左右の一方（室内側から向かって左側）のみに設けたが、左右の両方に設けてもよく、さらには上枠５の長手方向中間位置に設けてもよい。ただし、電動操作ユニット３０を上枠５の左右両方に設ける場合には、コントローラ３８を単一のものとして、このコントローラ３８で両側の電動モータ３６を制御できるようにすることが好ましい。
また、前記第実施形態では、手動操作ユニット２０または電動操作ユニット３０の主動スプロケット２５，３５と、巻取りドラム１２の従動スプロケット１５とをチェーン１６で接続し、これによりボールチェーン２７または電動モータ３６の操作力を巻取りドラム１２に伝達する駆動伝達機構を採用したが、駆動伝達機構としては、適宜な構造のものが採用可能である。すなわち、主動プーリおよび従動プーリと無端ベルトとで構成された駆動機構や、複数のギアを組み合わせて構成された駆動機構など、その構造は任意に選択してもよい。
【００３７】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３８】
【図１】本発明の実施形態に係る建具を示す縦断面図である。
【図２】前記建具を示す横断面図である。
【図３】(Ａ)，(Ｂ)は、前記建具に設けたシャッターの一部を示す縦断面図である。
【図４】手動開閉操作手段を設けた前記建具の一部を室内側から見た正面図である。
【図５】前記手動開閉操作手段を用いたシャッターの駆動機構を示す横断面図である。
【図６】前記手動開閉操作手段を示す縦断面図である。
【図７】前記手動開閉操作手段を示す側面図である。
【図８】(Ａ)，(Ｂ)は、電動開閉操作手段を設けた建具を示す縦断面図および正面図である。
【図９】前記電動開閉操作手段を用いたシャッターの駆動機構を示す横断面図である。
【符号の説明】
【００３９】
２…枠体である窓枠、３…面材である上部障子、４…面材である下部障子、５…上枠、５Ｃ…面材支持部である凹部、５Ｄ…室内側見付け面、５Ｇ…開口部、１０…シャッター、１１…遮蔽体であるシャッター面材、１２…巻取りドラム、１３Ａ…収容部である収容空間、１４…巻取り軸、１５…従動伝達部材である従動スプロケット、２０…手動開閉操作手段である手動操作ユニット、２３…ケース体、２４…回動軸、２５…主動伝達部材である主動スプロケット、２６…連結部であるギア、２７…操作部材であるボールチェーン、３０…電動開閉操作手段である電動操作ユニット、３３…ケース体、３４…回動軸、３５…主動伝達部材である主動スプロケット、３６…電動駆動源である電動モータ、３７…接続コード、３８…電動操作部であるコントローラ。
【図１】
2008214933.tif 000003
【図２】
2008214933.tif 000004
【図３】
2008214933.tif 000005
【図４】
2008214933.tif 000006
【図５】
2008214933.tif 000007
【図６】
2008214933.tif 000008
【図７】
2008214933.tif 000009
【図８】
2008214933.tif 000010
【図９】
2008214933.tif 000011